(57)【特許請求の範囲】
【請求項１】
硬質材よりなり平板状の着座面を有する着座体と、
この着座体の着座面で座骨との当接部分に設けられ、前記着座面からその内部に向って傾斜する傾斜面を有する有底の漏斗状の逃穴で、その底面には必要に応じて小孔を設け、前記着座面と傾斜面とで臀部を支持したことを特徴とする座骨用逃穴付き着座体。
【請求項２】
硬質材よりなり平板状の着座面を有する着座体と、
この着座体の着座面で座骨との当接部分に設けられ、前記着座面からその内部に向って傾斜する傾斜面を有する有底の漏斗状の逃穴で、その底面には必要に応じて小孔を設け、前記逃穴を模様状に形成すると共に、前記着座面と傾斜面とで臀部を支持したことを特徴とする座骨用逃穴付き着座体。
【請求項３】
硬質材よりなり平板状の着座面を有する着座体と、
この着座体の着座面で座骨との当接部分に設けられ、前記着座面からその内部に向って傾斜する傾斜面を有する有底の漏斗状の逃穴で、その底面には必要に応じて小孔を設けると共に、前記逃穴の存在位置を示す模様をその表面に平面状に設けて、前記着座面を覆うカバーとからなり、このカバーに設けた前記平面状の模様によって、前記逃穴の存在位置をカバーの上面から確認できるようにした座骨用逃穴付き着座体。
【発明の詳細な説明】
【０００１】
【発明の属する技術分野】
本発明は、椅子等に用いることにより、座骨の圧迫によって生じる臀部の痛みを防止するように改善した、座骨用逃穴付き着座体に関する。
【０００２】
【従来の技術】
椅子の着座部分に穴を設けた従来例としては、椅子の着座部分における中央部に、溝状の穴である貫通溝を、その前後方向に設けた看護人付シャワー椅子がある。
これは着座部分の中央部に、溝を設けることにより、着座した背後から貫通溝内にシャワーヘッドを挿入して、肛門付近の洗浄を行うようにした洗浄用の溝穴である。（例えば特許文献１参照）
【０００３】
【特許文献１】
実開平６−７７６８２号公報
【０００４】
【発明が解決しようとする課題】
特許文献１に示す看護人付シャワー椅子は、肛門の下側に設けた溝穴であり、肛門の両側に位置する座骨は、着座部分の平坦面に当るから、座骨と平坦面の間で挟まれて臀部の痛くなる椅子である。
従って、この特許文献１で示す椅子には、尻の一部を逃がす穴状のものは設けられているが、穴の位置とその形状が異なるものである。本願の如く座骨の当接によって生じる臀部の痛みを防止する穴ではなく、座ることによって臀部が痛くなるという欠点を持つ椅子である。
本発明は、このような不具合を解消するためになされたものであり、長時間に亘って座っても、臀部の痛みを伴わない座骨用逃穴付き着座体の提供を目的とする。
【０００５】
【課題を解決するための手段】
上記不具合を解決するために、本発明は次のような構成としている。
請求項１に記載した座骨用逃穴付き着座体は、硬質材よりなり平板状の着座面を有する着座体の着座面に、着座面からその内部に向って傾斜する傾斜面を有し、着座面の表面側から、直接視認できる座骨当接用の逃穴を設けることで、座骨用逃穴付き着座体とした。
逃穴を設けると、尖った座骨と着座体との間で、臀部が圧迫されないために、長時間に亘る使用でも尻が痛くならないようにした。
請求項２に記載した座骨用逃穴付き着座体は、請求項１に記載した逃穴を模様状に形成することで、座骨用逃穴付き着座体とした。
座骨用の逃穴を模様のように形成することで、デザインの面白さだけでなく、請求項１と同様に同席した知らない人とでも、すぐに話し合える話題提供の手段として使えるものである。
請求項３に記載した座骨用逃穴付き着座体は、請求項１及び請求項２に記載した着座体を、カバーで覆うと共に、このカバーに着座体に設けた逃穴の存在位置を示す模様を設けることで、座骨用逃穴付き着座体とした。
カバーで覆った着座体でも、カバーの上方から逃穴の位置を明確にすることで、座る位置の目印となるから着座した際に、逃穴の感触がより鮮明に得られようにしたものである。
【０００６】
【発明の実施の形態】
本発明について、図面を参照して説明する。図１は本発明の座骨用逃穴付き着座体を、入浴用の椅子に用いた例で示す斜視図、図２は図１のＡ−Ａ断面を示す説明図である。
本発明の座骨用逃穴付き着座体について、入浴用の椅子に用いた例で説明する。
図１で示すように入浴用の椅子１０は、腰掛になると共に座骨用の逃穴を設けた着座体１２と、この着座体の外周囲に設けた脚体１８とからなる。このような着座体１２と脚体１８とについて、更に詳細に説明する。
【０００７】
着座体１２は円形の平面板よりなり、着座姿勢を安定させる理由で、中央部を少し凹ませた湾曲状の平面板としている。この平面板の中央部には、対向させて配置した一対の逃穴１４を設けている。
この逃穴１４の大きさと間隔について説明する。臀部には座骨という一対の突起状の骨があって、椅子等に座ると座骨を覆う肉部が、座骨と椅子とで圧迫されて痛みを感じるものである。
従って、この座骨が入る穴を設けることで、座骨用の逃穴１４としたものである。一般的に座骨の突起間隔は、１５センチ前後といわれており、着座体１２の中心部から対称的に形成している。
この逃穴１４は図２で示すように着座面から降下するにしたがって、径が小さくなるような傾斜面１５を持って漏斗状に形成している。これは、穴を傾斜させることにより、臀部の当りをやわらげるためである。
また、この漏斗状は、着座体を合成樹脂で形成した場合に、その強度を向上させる目的も併せて持っている。この穴は入浴用の椅子であるから、体を洗ったお湯を落下させたり、椅子の持ち運び用の穴としたりして利用することができる。
【０００８】
脚体１８について説明する。脚体は着座体１２の外周囲に配設された壁面よりなり、着座体１２を床面から浮上させるための腰掛用の脚となるものである。
このように形成した入浴用の椅子１０の着座体１２を、円形で説明したが楕円形や長方形よりなる着座体でも良く、脚体もそれらに合せた形状で、壁面ばかりでなく４本脚のように複数本よりなる脚体でも良い。
【０００９】
このように構成した椅子１０の使用例について、図面を参照して説明する。図３は図１の使用例を示す説明図である。
この椅子１０を使用するには、図３で示すように座骨２が逃穴１４内に入るように座る。
このような着座によると、座骨２を覆う肉部が穴内に位置するから、着座面で圧迫されることもないので、臀部に痛みを感じることもなく座ることができる。
【００１０】
本発明の他の例について説明する。図４は本発明の他の例で、座骨用逃穴付き着座体を入浴用の椅子に用いた例で示す斜視図である。
他の例で示す座骨用逃穴付き着座体についても、入浴用の椅子に用いた例で説明する。図３で示す入浴用の椅子２０は、木製よりなる椅子であり着座面にハート形に形成した座骨用の逃穴２４を設けた着座体２２と、この着座体を支える脚体２８とからなる。
このような着座体２２と脚体２８とについて、更に詳細に説明する。
【００１１】
着座体２２は長方形の平板よりなり、その中央部にハート形を少し変形させて、図１で示した座骨の逃穴と同様の作用を有する逃穴２４を設けている。
この逃穴２４はハート形であるから、独立した一対の穴ではなく、左右を対称形として互いに連接した１つの模様を形成する逃穴２４である。この逃穴２４も床面側に向って、ハート形が小さくなるような傾斜面２５で形成しており、図１で示す逃穴と同様の作用、効果を有する。
脚体２８は、着座体２２の裏面側で斜交するように、ハの字形に設けた一対の板体よりなり、従来から知られている入浴用椅子の脚体２８である。
【００１２】
このように構成した入浴用の椅子２０も、前述例と同様に使用するものである。座骨用の逃穴をハート形で説明したが、前述例の如く一対の丸穴にしても良いし、他の模様形にしても良い。
その他の形状としては、円弧を有する他の形状、例えば串だんご形、眼鏡形、ひょうたん形などの模様に設定することも可能である。
図１及び図４で示した座骨用逃穴付き着座体を、入浴用の椅子で説明したが、他の椅子又は遊技用具であるブランコやシーソーの着座体など、座ることができる着座面に採用することができるものである。
また、材質としても合成樹脂や木材だけでなく金属板を用いた着座体も可能である。
【００１３】
本発明のその他の例について、図面を参照して説明する。
図５は本発明のその他の例の座骨用逃穴付き着座体を、長椅子に用いた例で示す斜視図、図６は図５の着座体を分解して示す斜視図である。
図５で示すように本発明のその他の例で示す座骨用逃穴付き着座体３２は、長椅子３０に用いた例である。
この長椅子３０は、複数人が座ることのできる長さを有する着座体３２と、この着座体を支持する４本の脚体３８とからなる。脚体３８は一般的な脚体と同じであり、着座体３２についてのみ詳細に説明する。
図６で示すように着座体３２は、複数人分の座骨用の逃穴３４を設けた板状の着座本体３３と、この着座本体に被さるクッション３６と、このクッション３６と着座本体３３を覆うカバー４０とからなる。
【００１４】
着座本体３３は長方形の板材や金属板などを用いて、複数人の座る位置のそれぞれに、前述例と同様の逃穴３４を設けている。この逃穴も傾斜面を設けて形成していることは同じである。
クッション３６は、着座本体３３の上部に被せるものであり、臀部全体の座り心地を向上させる一般的なものである。
カバー４０は、着座本体３３とクッション３６とを包み込んで一体化させるものである。このカバー４０には着座本体３３に設けた逃穴３４の位置を示す模様４２を設けている。
この模様４２は、逃穴３４の形と同じものであったり、他の形であったりしても良いが、逃穴３４の位置を明確にできる形であれば、使用に際して便利である。
図５及び図６で示す例では、逃穴３４と模様４２との形を一致させて、ひょうたん、蝶、ハートの形を示している。また、１つの椅子に１種類の逃穴や模様で統一したり、混在させたりすることも可能であり、特に限定するものではない。この長椅子のように、クッション３６を用いる着座体の場合は、逃穴の形状としてクッションの厚さを厚くすることにより、長円形の穴や楕円形の穴などを用いた単純な形をした１つの穴で代用することも可能である。
この長椅子は、３人分の着座体で示したが、１人用から複数人用として使えるものであり、人数を限定するものではない。更に、長手方向の一辺に、背もたれを有する長椅子としたり、ひじ掛を持たせた椅子などにしたりしても良い。従って、ソファーなどの高級椅子にも使用できる着座体である。
【００１５】
前述した逃穴３４は貫通した逃穴で説明したが、風呂場で使わない椅子の場合は、底面のある逃穴で形成することができる。
底面を設けた逃穴は、着座体上に乗って遊ぶ遊技用具、たとえばブランコのように立上って漕ぐこともある着座体に、足を入れてしまわないように、危険防止として有効である。
子供が使う着座体には、逃穴の形状に配慮することが必要であり、風呂場で使う椅子や屋外で使う椅子の着座体に、有低の逃穴を設けた場合は、逃穴の底面に溜った水を落下させる小孔を設けるようにすれば良い。
【００１６】
【発明の効果】
以上説明したように本発明によれば、椅子などに用いる着座体に座骨との当接を防止する穴を設けたことにより、以下の効果を得ることができた。
すなわち、長時間に亘って座っても、逃穴の存在で座骨によって圧迫されることがないので、尻が痛くなることを改善することができた。
着座体に逃穴や模様が設けられていることで、意匠的にも面白くて斬新なデザインの着座体が得られ、初めての人とでもこの着座体を共通の話題として、話ができる糸口になるという効果も得られた。
【図面の簡単な説明】
【図１】本発明の座骨用逃穴付き着座体を、入浴用の椅子に用いた例で示す斜視図である。
【図２】図１のＡ−Ａ断面を示す説明図である。
【図３】図１の使用例を示す説明図である。
【図４】本発明の他の例で座骨用逃穴付き着座体を、入浴用の椅子に用いた例で示す斜視図である。
【図５】本発明のその他の例で座骨用逃穴付き着座体を、長椅子に用いた例で示す斜視図である。
【図６】図５の着座体を分解して示す斜視図である。
【符号の説明】
１０  入浴用の椅子
１２  着座体
１４  逃穴
１５  傾斜面
１８  脚体
２０  入浴用の椅子
２２  着座体
２４  逃穴
２８  脚体
３０  長椅子
３２  着座体
３４  逃穴
３６  クッション
４０  カバー
４２  模様
【図１】
0003702367.tif 000002
【図２】
0003702367.tif 000003
【図３】
0003702367.tif 000004
【図４】
0003702367.tif 000005
【図５】
0003702367.tif 000006
【図６】
0003702367.tif 000007